(57)【要約】【課題】本発明は、ＴＶの電源をつけた時の開始チャンネルを、ＴＶをつけたユーザーが好むチャンネルに自動的に設定できる、ＴＶの開始チャンネル設定装置および方法を提供する。【解決手段】本発明に係るＴＶの開始チャンネル設定装置は、ＴＶがオン（ＯＮ）になるとＴＶの前方を撮影するカメラ；前記カメラによって撮影された映像からユーザーを認識するユーザー管理部；前記認識されたユーザーのチャンネル履歴情報に基づいて、前記認識されたユーザーの選好チャンネルを決定する選好チャンネル決定部；および前記決定された選好チャンネルをＴＶの開始チャンネルに設定するＴＶ制御部を含むことを特徴とする。【選択図】図１
2013132041.tif 000002
【特許請求の範囲】
【請求項１】
ＴＶの開始チャンネル設定装置であって、
ＴＶがオン（ＯＮ）になると、ＴＶの前方を撮影するカメラ；
前記カメラによって撮影された映像からユーザーを認識するユーザー管理部；
前記認識されたユーザーのチャンネル履歴情報に基づいて、前記認識されたユーザーの選好チャンネルを決定する選好チャンネル決定部；および
前記決定された選好チャンネルをＴＶの開始チャンネルに設定するＴＶ制御部；を含むことを特徴とする開始チャンネル設定装置。
【請求項２】
ユーザーの識別子およびイメージを含むユーザー情報を保存する保存部をさらに含み、
前記ユーザー管理部は前記ユーザー情報を利用してユーザーを認識することを特徴とする、請求項１に記載の開始チャンネル設定装置。
【請求項３】
前記ユーザー管理部は前記撮影された映像から顔認識を利用してユーザーを認識することを特徴とする、請求項１に記載の開始チャンネル設定装置。
【請求項４】
前記選好チャンネル決定部は前記認識されたユーザーの現在の時間における選好チャンネルを決定することを特徴とする、請求項１に記載の開始チャンネル設定装置。
【請求項５】
ユーザー別にチャンネル履歴情報を保存する保存部をさらに含むことを特徴とする、請求項１に記載の開始チャンネル設定装置。
【請求項６】
前記チャンネル履歴情報はチャンネル番号、該当チャンネルを設定した時間、該当チャンネルを他のチャンネルに変更した時間、および該当チャンネルが保持された時間のうちの少なくとも一つ以上を含むことを特徴とする、請求項１に記載の開始チャンネル設定装置。
【請求項７】
現在の時間、ＴＶを視聴しているユーザー、設定チャンネル、チャンネル設定時間に関する情報を保持する状態情報メモリー；および
前記状態情報メモリーに保持される情報に基づいて、前記チャンネル履歴情報を記録するチャンネル履歴管理部；をさらに含むことを特徴とする、請求項１に記載の開始チャンネル設定装置。
【請求項８】
ＴＶの開始チャンネル設定方法であって、
ＴＶがオン（ＯＮ）になると、ＴＶの前方を撮影するステップ；
撮影された映像からユーザーを認識するステップ；
前記認識されたユーザーのチャンネル履歴情報に基づいて、前記認識されたユーザーの選好チャンネルを決定するステップ；および
前記決定された選好チャンネルをＴＶの開始チャンネルに設定するステップ；を含むことを特徴とする開始チャンネル設定方法。
【請求項９】
前記ユーザーを認識するステップは、あらかじめ保存されたユーザーの識別子およびイメージを利用してユーザーを認識することを特徴とする、請求項８に記載の開始チャンネル設定方法。
【発明の詳細な説明】
【技術分野】
【０００１】
本発明はＴＶのチャンネルを設定する装置および方法に関し、より詳しくは、ＴＶの電源をつけた時の開始チャンネルを設定する装置および方法に関する。
【背景技術】
【０００２】
多くのユーザーはＴＶをつける時にどのようなプログラムまたはどのようなチャンネルを視聴するかを念頭に置いてＴＶをつける。しかし既存のＴＶはユーザーの意図とは関係なくＴＶ内に既に設定されているチャンネルまたは以前にＴＶを消した時にＴＶに記憶されているチャンネルを開始チャンネルに設定して該当チャンネルの放送を見せる。
【０００３】
したがって、既存のＴＶでユーザーはＴＶをつけた後にチャンネルを自分の所望するチャンネルに変更しなければならない煩わしさがある。
【発明の概要】
【発明が解決しようとする課題】
【０００４】
本発明が解決しようとする技術的課題は、ＴＶの電源をつけた時の開始チャンネルをＴＶをつけたユーザーが好むチャンネルに自動的に設定できる、ＴＶの開始チャンネル設定装置および方法を提供することにある。
【課題を解決するための手段】
【０００５】
上記の課題を解決するために、本発明に係るＴＶの開始チャンネル設定装置は、ＴＶがオン（ＯＮ）になると、ＴＶの前方を撮影するカメラ；前記カメラによって撮影された映像からユーザーを認識するユーザー管理部；前記認識されたユーザーのチャンネル履歴情報に基づいて、前記認識されたユーザーの選好チャンネルを決定する選好チャンネル決定部；および前記決定された選好チャンネルをＴＶの開始チャンネルに設定するＴＶ制御部を含むことを特徴とする。
【０００６】
前記開始チャンネル設定装置はユーザーの識別子およびイメージを含むユーザー情報を保存する保存部をさらに含み、前記ユーザー管理部は前記ユーザー情報を利用してユーザーを認識することができる。
【０００７】
前記ユーザー管理部は前記撮影された映像から顔認識を利用してユーザーを認識することができる。
【０００８】
前記選好チャンネル決定部は、前記認識されたユーザーの現在の時間における選好チャンネルを決定することができる。
【０００９】
前記開始チャンネル設定装置は、ユーザー別にチャンネル履歴情報を保存する保存部をさらに含むことができる。
【００１０】
前記チャンネル履歴情報はチャンネル番号、該当チャンネルを設定した時間、該当チャンネルを他のチャンネルに変更した時間、および該当チャンネルが保持された時間のうちの少なくとも一つ以上を含むことができる。
【００１１】
前記選好チャンネル決定部は、前記チャンネル履歴情報に基づいて、現在の時間と同じ時間に示されたチャンネルのうちの最も頻度が高いチャンネルを選好チャンネルに決定することができる。
【００１２】
前記選好チャンネル決定部は、前記チャンネル履歴情報に基づいて、現在の時間を含む時間帯で該当チャンネルが保持された時間が最も長いチャンネルを選好チャンネルに決定することができる。
【００１３】
前記開始チャンネル設定装置は、現在の時間、ＴＶを視聴しているユーザー、設定チャンネル、チャンネル設定時間についての情報を保持する状態情報メモリー；および前記状態情報メモリーに保持される情報に基づいて、前記チャンネル履歴情報を記録するチャンネル履歴管理部をさらに含むことができる。
【００１４】
前記チャンネル履歴管理部は、前記ＴＶにチャンネル変更命令が入力されると、前記チャンネル履歴情報を記録することができる。
【００１５】
前記チャンネル履歴管理部は、前記ＴＶにオフ（ＯＦＦ）命令が入力されると、前記チャンネル履歴情報を記録することができる。
【００１６】
上記の技術的課題を解決するために、本発明に係るＴＶの開始チャンネル設定方法は、ＴＶがオン（ＯＮ）になると、ＴＶの前方を撮影するステップ；撮影された映像からユーザーを認識するステップ；前記認識されたユーザーのチャンネル履歴情報に基づいて、前記認識されたユーザーの選好チャンネルを決定するステップ；および前記決定された選好チャンネルをＴＶの開始チャンネルに設定するステップを含むことを特徴とする。
【００１７】
前記ユーザーを認識するステップは、あらかじめ保存されたユーザーの識別子およびイメージを利用してユーザーを認識することができる。
【００１８】
前記ユーザーを認識するステップは、前記撮影された映像から顔認識を利用してユーザーを認識することができる。
【００１９】
前記選好チャンネルを決定するステップは、前記認識されたユーザーの現在の時間における選好チャンネルを決定することができる。
【００２０】
前記チャンネル履歴情報は、チャンネル番号、該当チャンネルを設定した時間、該当チャンネルを他のチャンネルに変更した時間、および該当チャンネルが保持された時間のうちの少なくとも一つ以上を含むことができる。
【００２１】
前記選好チャンネルを決定するステップは、前記チャンネル履歴情報に基づいて、現在の時間と同じ時間に示されたチャンネルのうちの最も頻度が高いチャンネルを選好チャンネルに決定することができる。
【００２２】
前記選好チャンネルを決定するステップは、前記チャンネル履歴情報に基づいて、現在の時間を含む時間帯で該当チャンネルが保持された時間が最も長いチャンネルを選好チャンネルに決定することができる。
【発明の効果】
【００２３】
上述の本発明によれば、ＴＶの電源をつけた時の開始チャンネルをＴＶをつけたユーザーが好むチャンネルに自動的に設定することができる。
【００２４】
したがって、ユーザーがＴＶをつけた後にチャンネルを所望のチャンネルに変更しなければならない煩わしさを減らすことができる。
【図面の簡単な説明】
【００２５】
【図１】本発明の一実施形態に係るＴＶの開始チャンネル設定装置の構成を示す図である。
【図２】本発明の一実施形態に係るＴＶの開始チャンネル設定装置がユーザーを登録する過程を示したフローチャートである。
【図３】本発明の一実施形態に係るＴＶの開始チャンネル設定方法のフローチャートである。
【図４】本発明の一実施形態に係るＴＶの開始チャンネル設定装置においてチャンネル変更命令が入力される場合に行われる動作のフローチャートである。
【図５】本発明の一実施形態に係るＴＶの開始チャンネル設定装置においてＴＶオフ命令が入力される場合に行われる動作のフローチャートである。
【発明を実施するための形態】
【００２６】
以下では、図を参照して本発明の好ましい実施形態について詳細に説明する。以下に説明および添付された図において、実質的に同一の構成要素はそれぞれ同一の符号で示すことによって重複説明を省略することにする。また、本発明を説明するにあたって、関連した公知機能あるいは構成に関する具体的な説明が本発明の要旨を不明瞭にし得ると判断される場合、それに関する詳細な説明は省略することにする。
【００２７】
図１は、本発明の一実施形態に係るＴＶの開始チャンネル設定装置の構成を示す。ＴＶの開始チャンネル設定装置は、図に示したように、ユーザー入力部１１０、ＴＶ制御部１２０、カメラ１３０、ユーザー管理部１４０、選好チャンネル決定部１５０、状態情報メモリー１６０、チャンネル履歴管理部１７０、保存部１８０を含んでなる。
【００２８】
本実施形態に係る開始チャンネル設定装置の構成要素の一部または全部は、ＴＶに内蔵され、開始チャンネル設定装置の一部の構成要素の機能は、通常のＴＶで要求される機能を含むことができる。例えば、ユーザー入力部１１０とＴＶ制御部１２０の機能は、通常のＴＶに備えられるユーザー入力手段とＴＶ制御手段の機能を含む。
【００２９】
ユーザー入力部１１０は、ユーザーからＴＶの視聴のためのユーザー命令が入力される。例えば、ユーザー入力部１１０はユーザーからＴＶオン命令、ＴＶオフ命令、チャンネル変更命令、ボリューム調節命令などが入力される。ユーザー入力部１１０は、チャンネル変更命令で特定のチャンネルの番号またはチャンネルアップまたはダウン命令が入力されうる。ユーザー入力部１１０は、ＴＶリモコンで具現されることができ、またＴＶ自体に具現されることができる。また、ユーザー入力部１１０は、開始チャンネル設定装置にユーザーを登録するためのユーザー登録命令が入力される。
【００３０】
ＴＶ制御部１２０は、ユーザー入力部１１０を通じたユーザー命令に応答してＴＶを制御する。例えば、ＴＶ制御部１２０は、ＴＶオン命令によりＴＶをオンにして、ＴＶオフ命令によりＴＶをオフにして、チャンネル変更命令によりＴＶのチャンネルを設定する。またＴＶ制御部１２０は、ユーザー登録命令によりカメラ１３０とユーザー管理部１４０とがユーザーを登録するように制御する。またＴＶ制御部１２０は、ＴＶがオンにされると、カメラ１３０、ユーザー管理部１４０、選好チャンネル決定部１５０がＴＶの開始チャンネルを設定するように制御する。
【００３１】
カメラ１３０は、ＴＶがオンにされると、ＴＶ制御部１２０からのカメラ制御信号に応答してＴＶの前方を撮影して映像を獲得する。撮影される映像は静止映像であるか動画でありうる。カメラ１３０は、ＴＶの前方の映像を撮影することができるようにＴＶの適切な位置に設置される。例えば、カメラ１３０はＴＶのディスプレイ画面の真上に設置されうる。
【００３２】
ユーザー管理部１４０は、前記カメラ１３０により撮影された映像からユーザーを認識する。このために保存部１８０には予め登録されたユーザーの識別子とイメージなどのユーザー情報が保存される。ユーザー管理部１４０は、撮影された映像と前記ユーザー情報を利用して、ＴＶがオンにされた時にＴＶを視聴するユーザーが誰なのかを認識する。ユーザー管理部１４０は、撮影された映像から顔を検出して、顔認識を利用してユーザーを認識することができる。顔検出技法としては、知識基盤方法、特徴基盤方法、テンプレートマッチング方法、外形基盤方法など、通常の技法が用いられうる。顔認識技法としては、２Ｄ技法または３Ｄ技法、主成分分析法（Ｐｒｉｎｃｉｐａｌ  Ｃｏｍｐｏｎｅｎｔｓ  Ａｎａｌｙｓｉｓ、ＰＣＡ）または線形離散分析法（Ｌｉｎｅａｒ  Ｄｉｓｃｒｉｍｉｎａｎｔ  Ａｎａｌｙｓｉｓ、ＬＤＡ）等、通常の技法が用いられうる。ユーザー管理部１４０は、顔認識の結果、保存部１３０からユーザーの識別子を検出し、検出された識別子を選好チャンネル決定部１５０に伝達する。ユーザーが二人以上の場合、ユーザー管理部１４０の顔検出の結果、二人以上の顔が検出されるため、ユーザー管理部１４０は各ユーザーを認識することができる。
【００３３】
保存部１８０には、前記ユーザー情報とともにユーザー別にユーザーが以前に視聴したチャンネルの履歴情報が保存される。保存部１８０には、ユーザーの識別子ごとにそれに対応するチャンネル履歴情報が保存されうる。チャンネル履歴情報は、チャンネル番号、該当チャンネルを設定した時間、該当チャンネルを他のチャンネルに変更した時間、該当チャンネルが保持された時間などを含みうる。ここで、「時間」情報には「曜日」が含まれうる。
【００３４】
選好チャンネル決定部１５０は、ユーザー管理部１４０で認識されたユーザーに関して保存部１８０に保存された該当ユーザーのチャンネル履歴情報に基づいて、現在の時間における該当ユーザーの選好チャンネルを決定する。そして選好チャンネル決定部１５０は、決定されたチャンネルのチャンネル番号をＴＶ制御部１２０に伝達する。そうするとＴＶ制御部１２０は、選好チャンネル決定部１５０からのチャンネル番号に応じてＴＶの開始チャンネルを設定する。
【００３５】
チャンネル履歴情報から選好チャンネルを決定する方法は多様でありうる。例えば、選好チャンネル決定部１５０は、現在の曜日と現在の時間を確認して、認識されたユーザーのチャンネル履歴情報において同一の曜日の同一の時間に示されたチャンネルを確認した後、最も頻度が高いチャンネルを現在の時間における選好チャンネルに決定することができる。他の例として、選好チャンネル決定部１５０は、現在の曜日と現在の時間を確認して、認識されたユーザーのチャンネル履歴情報において同一の曜日の現在の時間を含む時間帯（例えば、現在の時間が７時ならば、６時３０分から７時３０分の間）に示されたチャンネルを確認した後、該当チャンネルが保持された時間が最も長いチャンネルを現在の時間における選好チャンネルに決定することができる。
【００３６】
上述したとおり、ユーザー管理部１４０では複数のユーザーが認識されうる。一実施形態において、選好チャンネル決定部１５０は、認識された複数のユーザーのうちランダムにユーザーを選定して、選定されたユーザーに対して、上記にて例として挙げた方法で選好チャンネルを決定することができる。他の実施形態において、選好チャンネル決定部１５０は、複数のユーザーのチャンネル履歴情報を統合して選好チャンネルを決定することもできる。例えば、選好チャンネル決定部１５０は、現在の曜日と現在の時間を確認して、複数のユーザーのチャンネル履歴情報全体で同一の曜日の同一の時間に示されたチャンネルを確認した後、最も頻度が高いチャンネルを現在の時間における選好チャンネルに決定することができる。他の例として、選好チャンネル決定部１５０は、現在の曜日と現在の時間を確認して、複数のユーザーのチャンネル履歴情報全体で同一の曜日の現在の時間を含む時間帯（例えば、現在の時間が７時ならば、６時３０分から７時３０分の間）に示されたチャンネルを確認した後、該当チャンネルが保持された時間が最も長いチャンネルを現在の時間における選好チャンネルに決定することができる。
【００３７】
状態情報メモリー１６０は、現在ＴＶを視聴しているユーザー、現在の時間、現在の設定チャンネル、チャンネル設定時間に関する情報を保持する。ＴＶを視聴しているユーザーに関する情報を保持するために、状態情報メモリー１６０は、ユーザー管理部１４０から認識されたユーザーの識別子情報を受信する。ユーザー情報は、ユーザー管理部１４０で認識されたユーザーの識別子でありうる。ＴＶを視聴するユーザーは変更されうるところ、カメラ１３０は周期的にＴＶの前方を撮影して映像を獲得して、ユーザー管理部１４０は、各撮影された映像からユーザーを認識して、認識されたユーザーの識別子情報を周期的に状態情報メモリー１６０に提供することができる。現在の設定チャンネルは、現在の時間にＴＶに設定されているチャンネルを意味し、チャンネル設定時間は、該当チャンネルが設定された後から現在まで経過した時間を意味する。現在の時間情報は、ＴＶ自体に内蔵される時計から得られたり、外部（例えば放送受信を通じて）から得られうる。
【００３８】
チャンネル履歴管理部１７０は、状態情報メモリー１６０が保持する現在のユーザー、現在の時間、現在の設定チャンネル、チャンネル設定時間に関する情報を適切に加工してユーザー別にチャンネル履歴情報を保存部１８０に保存する。例えば、チャンネル履歴管理部１７０は、チャンネル変更などにより状態情報メモリー１６０に保存された情報が変更されるたびに、あるいはＴＶオフ命令が入力されると、状態情報メモリー１６０から保存された情報を読み取ってきて、現在のユーザーに関し、チャンネル番号、チャンネル設定時間、チャンネル変更時間、チャンネルが保持された時間などのチャンネル履歴情報を保存部１８０に記録する。
【００３９】
図２は、本発明の一実施形態に係るＴＶの開始チャンネル設定装置がユーザーを登録する過程を示したフローチャートである。
【００４０】
２１０ステップにおいて、ユーザー入力部１１０はユーザーからユーザー登録命令が入力される。
【００４１】
２２０ステップにおいて、ユーザー入力部１１０はユーザーからユーザー名が入力される。ただしユーザー名を入力する本ステップは省略されうる。
【００４２】
２３０ステップにおいて、カメラ１３０はＴＶの前方を撮影してユーザーの映像を獲得する。ただし、開始チャンネル設定装置はカメラ１３０を通じてユーザーの映像を獲得する代わりに、ユーザーのイメージファイルが入力されることもできる。イメージファイルはＵＳＢポートを通じて入力されたり、その他の通信手段を通じて入力されうる。
【００４３】
２４０ステップにおいて、ユーザー管理部１４０は獲得された映像から顔を検出する。撮影された映像から顔検出が正確に行われなかった場合、前記２３０ステップが繰り返されうる。
【００４４】
２５０ステップにおいて、ユーザー管理部１４０は、ユーザーの識別子を生成する。識別子は数字でありえ、ユーザー管理部１４０は、既に付与された数字以外に新しい数字を付与して識別子を生成することができる。
【００４５】
２６０ステップにおいて、ユーザー管理部１４０は、ユーザー識別子、ユーザー名、そしてユーザー映像を保存する。一実施形態において、ユーザー管理部１４０は、カメラ１３０により撮影された映像をそのまま保存することができる。他の実施形態において、ユーザー管理部１４０は、カメラ１３０により撮影された映像を加工して保存することができる。例えば、ユーザー管理部１４０は、映像の解像度を変更して保存したり、上記の顔検出結果を利用して、顔以外の部分が除去された映像を保存することができる。
【００４６】
図３は、本発明の一実施形態に係るＴＶの開始チャンネル設定方法のフローチャートを示す。
【００４７】
３１０ステップにおいて、ユーザー入力部１１０はユーザーからＴＶオン命令が入力される。
【００４８】
３２０ステップにおいて、カメラ１３０はＴＶ制御部１２０からのカメラ制御信号に応答してＴＶの前方を撮影して映像を獲得する。
【００４９】
３３０ステップにおいて、ユーザー管理部１４０は前記３２０ステップで撮影された映像からユーザーを認識する。この時、ユーザー管理部１４０は、撮影された映像からあらかじめ保存されたユーザーの識別子とイメージ情報を利用してユーザーを認識する。ユーザー管理部１４０はユーザー認識のために映像に対して顔検出と顔認識を行って、顔認識の結果、ユーザーの識別子を検出する。
【００５０】
３４０ステップにおいて、選好チャンネル決定部１５０は、３３０ステップで認識されたユーザーに関し該当ユーザーのあらかじめ保存されたチャンネル履歴情報に基づいて、現在の時間における該当ユーザーの選好チャンネルを決定する。決定されたチャンネルのチャンネル番号はＴＶ制御部１２０に伝達される。
【００５１】
３５０ステップにおいて、ＴＶ制御部１２０は３４０ステップで決定されたチャンネル番号に応じてＴＶの開始チャンネルを設定する。したがって、結局、ＴＶを視聴しているユーザーが現在の時点で最も好んだチャンネルがＴＶがオンになったとたんの開始チャンネルになる。
【００５２】
図４は、本発明の一実施形態に係るＴＶの開始チャンネル設定装置でチャンネル変更命令が入力される場合に行われる動作のフローチャートを示す。
【００５３】
４１０ステップにおいて、ユーザー入力部１１０はユーザーからチャンネル変更命令が入力される。
【００５４】
４２０ステップにおいて、チャンネル履歴管理部１７０は状態情報メモリー１６０の情報を読み取ってきて保存部１８０にチャンネル履歴情報を記録する。ここで記録されるチャンネル履歴情報は、先立ってチャンネルが設定された時点からチャンネルが転換されようとする現在の時点の間のチャンネル履歴情報に該当する。チャンネル履歴管理部１７０は、状態情報メモリー１６０の現在のユーザー、現在の時間、現在の設定チャンネル、チャンネル設定時間を読み取ってきて、該当ユーザーに関し、チャンネル番号、チャンネルを設定した時間、チャンネルを他のチャンネルに変更した時間、チャンネルが保持された時間を記録する。ここで、チャンネルを他のチャンネルに変更した時間は「現在の時間」になり、チャンネルが保持された時間は「現在の時間−チャンネル設定時間」になる。
【００５５】
４３０ステップにおいて、カメラ１３０はＴＶ制御部１２０からのカメラ制御信号に応答してＴＶの前方を撮影して映像を獲得する。
【００５６】
４４０ステップにおいて、ユーザー管理部１４０は前記４３０ステップで撮影された映像からユーザーを認識する。本ステップは、図３の３３０ステップと同一であるため、これ以上の説明は省略する。
【００５７】
４５０ステップにおいて、ＴＶ制御部１２０はチャンネル変更命令によりＴＶのチャンネルを転換する。
【００５８】
４６０ステップにおいて、状態情報メモリー１６０が更新される。すなわち、現在のユーザー情報が４４０ステップで認識されたユーザーに更新され、現在の設定チャンネルが４５０ステップで転換されたチャンネルに更新され、チャンネル設定時間が現在の時間（チャンネルが転換された時間）に更新される。
【００５９】
図５は、本発明の一実施形態に係るＴＶの開始チャンネル設定装置においてＴＶオフ命令が入力される場合に行われる動作のフローチャートを示す。
【００６０】
５１０ステップにおいて、ユーザー入力部１１０はユーザーからＴＶオフ命令が入力される。
【００６１】
５２０ステップにおいて、チャンネル履歴管理部１７０は状態情報メモリー１６０の情報を読み取ってきて保存部１８０にチャンネル履歴情報を記録する。ここで記録されるチャンネル履歴情報は、先立ってチャンネルが設定された時点からＴＶがオフになろうとする現在の時点の間のチャンネル履歴情報に該当する。チャンネル履歴管理部１７０は、状態情報メモリー１６０の現在のユーザー、現在の時間、現在の設定チャンネル、チャンネル設定時間を読み取ってきて、該当ユーザーに関し、チャンネル番号、チャンネルを設定した時間、チャンネルを他のチャンネルに変更した時間、チャンネルが保持された時間を記録する。ここで、チャンネルを他のチャンネルに変更した時間は「現在の時間」になり、チャンネルが保持された時間は「現在の時間−チャンネル設定時間」になる。
【００６２】
チャンネル履歴情報の記録が完了すると、５３０ステップにおいてＴＶ制御部１２０はＴＶオフ命令によりＴＶをオフにする。
【００６３】
一方、上述した本発明の実施形態は、コンピュータで実行することができるプログラムで作成可能であり、コンピュータで読み取ることができる記録媒体を利用して前記プログラムを動作させる汎用デジタルコンピュータで具現されうる。前記コンピュータで読み取ることができる記録媒体はマグネチック保存媒体（例えば、ロム、フロッピー（登録商標）ディスク、ハードディスクなど）、光学的読み取り媒体（例えば、シーディーロム、ディーブイディーなど）のような保存媒体を含む。
【００６４】
これまで本発明についてその好ましい実施形態を中心に詳察してみた。本発明の属する技術分野における通常の知識を有する者は、本発明が本発明の本質的な特性から逸脱しない範囲内で変形された形態で具現されうることを理解できるだろう。したがって、開示された実施形態は、限定的な観点ではなく説明的な観点で考慮されなければならない。本発明の範囲は、上述した説明ではなく特許請求の範囲によって解釈されなければならず、それと同等な範囲内にあるすべての技術思想は、本発明の権利範囲に含まれるものと解釈されなければならない。
【図１】
2013132041.tif 000003
【図２】
2013132041.tif 000004
【図３】
2013132041.tif 000005
【図４】
2013132041.tif 000006
【図５】
2013132041.tif 000007